(57)【特許請求の範囲】
【請求項１】
入力されたデジタル画像信号を記録媒体に記録する画像信号記録装置において、
前記記録媒体に対する前記入力されたデジタル画像信号の記録位置を示す第１のアドレスを発生する第１のアドレス発生手段と、
前記第１のアドレスが示す記録位置に対して前記入力されたデジタル画像信号を記録した所定時間経過後に前記入力されたデジタル画像信号が記録される記録位置を示す第２のアドレスを発生する第２のアドレス発生手段と、
前記第１のアドレスが示す前記記録媒体の記録位置に前記入力されたデジタル画像信号を記録する記録手段と、
前記第２のアドレスが示す前記記録媒体の記録位置に既にデジタル画像信号が記録されているか否かを検出する検出手段と、
前記検出手段の検出結果を通知する通知手段と
を有することを特徴とする画像信号記録装置。
【請求項２】
入力されたデジタル画像信号を記録媒体に記録する画像信号記録装置において、
前記記録媒体に対する前記入力されたデジタル画像信号の記録位置を示す第１のアドレスを発生する第１のアドレス発生手段と、
前記第１のアドレスが示す記録位置に対して前記入力されたデジタル画像信号を記録した所定時間経過後に前記入力されたデジタル画像信号が記録される記録位置を示す第２のアドレスを発生する第２のアドレス発生手段と、
前記第１のアドレスが示す前記記録媒体の記録位置に前記入力されたデジタル画像信号を記録する記録手段と、
前記第２のアドレスが示す前記記録媒体の記録位置に既に記録されているデジタル画像信号を再生する再生手段と、
前記入力されたデジタル画像信号が示す画像と前記再生手段で再生されたデジタル画像信号が示す画像とを合成して表示する表示手段と
を有することを特徴とする画像信号記録装置。
【発明の詳細な説明】
【０００１】
【発明の属する技術分野】
本発明は、入力されたデジタル画像信号を記録媒体に記録する画像信号記録装置に関する。
【０００２】
【従来の技術】
一般に、撮像装置から入力されたデジタル画像信号をメモリ、磁気ディスクなどの記録媒体に記録する画像信号記録装置では、記録時に、記録媒体に対するデジタル画像信号の記録位置を示すアドレスを発生し、該アドレスが示す記録媒体の記録位置にデジタル画像信号を記録する。
【０００３】
この記録時に使用される記録媒体として既に他の画像信号が記録されている記録媒体を使用するときには、該記録媒体の既に画像信号が記録されている部分に今回入力されたデジタル信号が上書きされて記録され、既に記録されている画像信号は消去されることになる。
【０００４】
【発明が解決しようとする課題】
上述のような画像信号記録済みの記録媒体を使用するときには、今回入力されたデジタル信号の上書きにより既に記録されている画像信号が消去されるから、既に記録されている画像信号が消去されてもよいか否かを使用前に確認する必要がある。例えば、この画像信号記録済みの記録媒体を一旦再生し、その記録された画像信号が示す情報の要、不要を確認するための作業を行う必要がある。この記録媒体に記録されている情報の全てが不要であれば、該記録媒体を使用して該記録媒体の既に画像信号が今回入力されたデジタル信号の上書きにより消去されても何ら問題は発生しない。
【０００５】
しかし、不要な記録情報と必要な記録情報とが混在するような記録媒体を使用するときには、不要な記録情報が記録されている部分から記録を開始するように操作を行うが、誤った操作により記録最中に必要な記録情報が記録されている部分に入り、該部分に今回入力されたデジタル画像信号が上書きされて記録され、必要な記録情報が消去されることがある。
【０００６】
本発明の目的は、不要な情報を示すデジタル画像信号と必要な情報を示すデジタル画像信号とが混在して記録されている記録媒体を使用して記録を行うときに、必要な情報を示すデジタル画像信号の記録部分に新たに記録されるデジタル画像信号が上書きされることによる、必要な情報を示すデジタル画像信号の消去を未然に防止することができる画像信号記録装置を提供することにある。
【０００７】
【課題を解決するための手段】
本発明は、入力されたデジタル画像信号を記録媒体に記録する画像信号記録装置において、前記記録媒体に対する前記入力されたデジタル画像信号の記録位置を示す第１のアドレスを発生する第１のアドレス発生手段と、前記第１のアドレスが示す記録位置に対して前記入力されたデジタル画像信号を記録した所定時間経過後に前記入力されたデジタル画像信号が記録される記録位置を示す第２のアドレスを発生する第２のアドレス発生手段と、前記第１のアドレスが示す前記記録媒体の記録位置に前記入力されたデジタル画像信号を記録する記録手段と、前記第２のアドレスが示す前記記録媒体の記録位置に既にデジタル画像信号が記録されているか否かを検出する検出手段と、前記検出手段の検出結果を通知する通知手段とを有することを特徴とする。
【００１１】
本発明は、入力されたデジタル画像信号を記録媒体に記録する画像信号記録装置において、前記記録媒体に対する前記入力されたデジタル画像信号の記録位置を示す第１のアドレスを発生する第１のアドレス発生手段と、前記第１のアドレスが示す記録位置に対して前記入力されたデジタル画像信号を記録した所定時間経過後に前記入力されたデジタル画像信号が記録される記録位置を示す第２のアドレスを発生する第２のアドレス発生手段と、前記第１のアドレスが示す前記記録媒体の記録位置に前記入力されたデジタル画像信号を記録する記録手段と、前記第２のアドレスが示す前記記録媒体の記録位置に既に記録されているデジタル画像信号を再生する再生手段と、前記入力されたデジタル画像信号が示す画像と前記再生手段で再生されたデジタル画像信号が示す画像とを合成して表示する表示手段とを有することを特徴とする。
【００２１】
【発明の実施の形態】
以下に本発明の実施の形態について図を参照しながら説明する。
【００２２】
（実施の第１形態）
図１は本発明の画像信号記録装置の実施の第１形態の構成を示すブロック図、図２は図１の画像信号記録装置の記録媒体における記録パターンを示す図、図３は図１の画像信号記録装置のモニタ画面に表示される表示例を示す図である。
【００２３】
画像信号記録装置は、図１に示すように、ビデオカメラなどの撮像装置からのデジタル画像信号が入力される入力端子１を備える。入力端子１に入力されたデジタル画像信号は、記録処理回路２および合成回路１２に与えられる。記録処理回路２は、入力されたデジタル画像信号を記録媒体８に適した記録フォーマットのデータに変換した後に、該データに必要に応じてシーンＮｏ．などの付加情報を付加して該データを記録データとして記録媒体８上の指定された記録位置に記録する。この記録媒体８は半導体メモリ、磁気ディスクなどからなり、この記録媒体８へのデータの書込には、該記録媒体８の種類に応じた書込手段（図示せず）が用いられている。
【００２４】
この記録媒体８に対する記録データの記録位置は、第１のアドレス発生回路６から発生された第１のアドレスで指定される。第１のアドレス発生回路６は、ＲＥＣキー３の操作に応じて制御回路５から出される記録指示に基づき第１のアドレスを発生し、ＳＴＯＰキー４の操作に応じて制御回路５から出される記録停止指示に基づき第１のアドレスの発生を停止する。ＲＥＣキー３およびＳＴＯＰキー４は操作部（図示せず）に設けられている。
【００２５】
第１のアドレスは、上述したように、記録媒体８に対する入力されたデジタル画像信号の記録位置の指定に用いられるとともに、第２のアドレス回路７に与えられる。第２のアドレス回路７は、第１のアドレスが入力されると、該第１のアドレスに基づき第２のアドレスを発生する。この第２のアドレスは、第１のアドレスが示す記録位置への記録データの記録時点から所定時間経過後に記録される記録データの記録位置を指示するアドレスである。
【００２６】
第２のアドレス発生回路７から第２のアドレスが発生されると、読取手段（図示せず）による記録媒体８における第２のアドレスで指示された記録位置へのアクセスが行われ、読取手段によって読み取られたデータは検出回路１０および再生処理回路９に送られる。検出回路１０は、読取手段によって読み取られたデータに基づき第２のアドレスが示す記録位置における記録データの検出処理を行う。この検出処理では、具体的には、読取手段によって読み取られたデータに付加情報が含まれているときには、第２のアドレスで指示された記録位置に既に記録されているデータがあると判定し、読取手段により読み取られたデータに付加情報が含まれていないときには、第２のアドレスで指示された記録位置にデータが記録されていないと判定し、各判定結果に応じた検出結果信号を合成回路１２および表示器１１に出力する。
【００２７】
再生処理回路９は、読取手段により読み取られたデータをデジタル画像信号に復号するための再生処理を行い、この再生処理によって復号されたデジタル画像信号は合成回路１２に出力される。
【００２８】
合成回路１２は、検出回路１０からの検出結果信号に応じて入力端子１に入力されたデジタル画像信号をモニター１３に出力する処理と、再生処理回路９からのデジタル画像信号と入力端子１に入力されたデジタル画像信号とを合成してモニター１３に出力する処理とのいずれか一方を行う。具体的には、第２のアドレスで指示された記録位置にデータが記録されていないことを示す検出結果信号を検出回路１０から受けると、入力端子１に入力されたデジタル画像信号をモニター１３に出力する処理が選択、実行される。これに対し、第２のアドレスで指示された記録位置に既に記録されているデータがあることを示す検出結果信号を検出回路１０から受けると、再生処理回路９からのデジタル画像信号と入力端子１に入力されたデジタル画像信号とを合成してモニター１３に出力する処理が選択、実行される。
【００２９】
モニター１３は、合成回路１３から出力されるデジタル画像信号が示す画像を表示する。
【００３０】
表示器１１は、検出回路１０からの検出結果信号に応じてその検出結果信号の内容に対応する表示を行うＬＥＤからなり、具体的には、第２のアドレスで指示された記録位置に既に記録されているデータがあることを示す検出結果信号を検出回路１０から受けると、赤色の点灯を行い、第２のアドレスで指示された記録位置にデータが記録されていないことを示す検出結果信号を検出回路１０から受けると、緑色の点灯を行う。
【００３１】
制御回路５は、上述したように、ＲＥＣキー３およびＳＴＯＰキー４の操作に応じて第１のアドレス発生回路６への指示を行うとともに、各ブロックに対する制御信号（図示せず）を生成する。
【００３２】
次に、本デジタル画像信号記録装置による記録動作について図１ないし図３を参照しながら説明する。本説明では、図２に示すように、アドレス（Ａｄｄｒｅｓｓ）０〜Ｎまでの記録容量を有する記録媒体８の使用例を示し、記録媒体８のアドレスＫ２からＮまでの記録部分には既に記録データとしてシーン３が記録されているものとし、アドレス０からＫ２までの記録部分は無記録部分とする。
【００３３】
ビデオカメラから出力されたデジタル画像信号を記録するときには、まず、ＲＥＣキー３が操作され、記録指示が出される。この記録指示を受けた制御回路５は、第１のアドレス発生回路６に対し第１のアドレスの発生を指示し、第１のアドレス発生回路６からは第１のアドレスが発生される。この発生された第１アドレスは第２のアドレス発生回路７に与えられ、第２のアドレス発生回路７からは、第１のアドレスが示す記録位置への記録データの記録時点から所定時間経過後に記録される記録データの記録位置を指示する第２のアドレスが発生される。
【００３４】
また、入力端子１に入力されたデジタル画像信号は記録処理回路２に与えられる。記録処理回路２は、入力されたデジタル画像信号を記録媒体８に適した記録フォーマットのデータに変換した後に、該データに付加情報を付加して記録データとして書込手段に出力し、書込手段によって記録データを記録媒体８上の第１のアドレスで指定された記録位置へ記録する記録動作が開始される。
【００３５】
この記録動作が開始されると同時に、読取手段による記録媒体８における第２のアドレスで指示された記録位置へのアクセスが行われ、読取手段によって読み取られたデータは検出回路１０に送られる。検出回路１０は、読取手段によって読み取られたデータに基づき第２のアドレスが示す記録位置における記録データの検出処理を行う。
【００３６】
アドレス０の記録位置からシーン１の記録が開始されると、図２（ａ）に示すように、シーン１の記録媒体８への記録が行われながら検出回路１０による検出処理が実行される。アドレス０からＫ２までの記録部分は無記録部分であるから、検出回路１０はこのシーン１の記録途中で第２のアドレスの記録位置に既に記録されているデータがないことを検出し、その検出結果として表示器１１による緑色の点灯が行われる。この緑色の点灯によって、シーン１が記録される部分には記録データがないことを確認しながらシーン１の記録が続行される。このシーン１の記録期間中、モニター１３には入力されたデジタル画像信号が示す画像のみが表示されることになる。
【００３７】
アドレスＫ１の記録位置でシーン１の記録を終了し、続いてアドレスＫ１の記録位置からのシーン２の記録を開始すると、同様に、シーン２の記録を行いながら検出回路１０による検出処理が実行される。
【００３８】
記録媒体８のアドレスＫ１からＫ２までの記録部分への記録においては、図２（ａ），（ｂ）に示すように、第１のアドレスＡ１に対し第２のアドレス発生回路７から第２のアドレスＡ２が発生されるが、アドレスＫ１からＫ２までの記録部分は無記録部であるから、第１のアドレスＡ１に対する第２のアドレスＡ２がアドレスＫ２に到達するまでは、検出回路１０からは第２のアドレスＡ２で指示された記録位置に既に記録されているデータがないことを示す検出結果信号が出力され、この検出信号によって緑色に点灯された表示器１１を確認しながらシーン２の記録が行われることになる。第２のアドレスＡ２がアドレスＫ２に到達するまでのシーン２の記録期間中、モニター１３には入力されたデジタル画像信号が示す画像のみが表示されることになる。
【００３９】
シーン２の記録がさらに進み、第２のアドレスＡ２がアドレスＫ２を超えると、図２（ｃ）に示すように、アドレスＫ２からＮまでの記録部分には既にシーン３が記録されているから、検出回路１０は第２のアドレスＡ２で指示された記録位置に既に記録されているデータがあることを検出し、この検出結果により表示器１１による赤色の点滅が行われる。また、再生処理回路９により第２のアドレスＡ２で指示された記録位置に既に記録されているデータ（シーン３）がデジタル画像信号に復号され、この復号されたデジタル画像信号は合成回路１２で入力端子１に入力されたデジタル画像信号（シーン２）と合成される。この合成された画像信号はモニター１３に出力され、モニター１３にはシーン３とシーン２とが表示される。例えば、図３に示すように、モニター１３には、シーン２の表示領域と該表示領域内の形成されたシーン３のウインドウとが表示される。
【００４０】
このように、表示器１１の赤色の点滅によってシーン２の記録位置に記録データ（シーン３）があることをユーザに通知することができ、また、モニター１３に表示された画像から既に記録されているデータ（シーン３）の内容をユーザに確認させることができ、ユーザはこのシーン３に対する確認によって該シーン３が必要であるか不要であるかを判断して対応する操作を行う。例えば、シーン３が必要なデータであるならば、シーン３がシーン２に書き換えられる前にＳＴＯＰキー４の操作によりシーン２の記録を停止させることができ、また、シーン３が必要なデータでないときには、ＳＴＯＰキー４を操作せずにそのままシーン２の記録を続行させることができる。
【００４１】
次に、シーン３が必要なデータでないと判断されてシーン２の記録が続行されると、図２（ｄ）に示すように、シーン３の記録部分にはシーン２が上書きされ、第１のアドレスＡ１に対する第２のアドレスＡ２がアドレスＮを経て先頭のアドレス０に到達すると、上述した第２のアドレスＡ２がアドレスＫ２を超えたときと同様に、検出回路１０は第２のアドレスＡ２で指示された記録位置に既に記録されているデータがあることを検出し、この検出結果により表示器１１による赤色の点滅が行われる。また、モニター１３にはシーン１とシーン２とが表示され、ユーザはこのシーン１に対する確認によって該シーン１が必要であるか不要であるかを判断して対応する操作を行う。例えば、ユーザが、シーン１が必要なデータでないと判断してＳＴＯＰキー４を操作せずにそのままシーン２の記録を続行させると、図２（ｅ）に示すように、シーン１の記録部分にはシーン２が上書きされる。
【００４２】
以上により、入力されたデジタル画像信号に対する記録途中において検出回路１０によって第２のアドレスの記録位置に既に記録されているデータがあることを検出すると、表示器１１の赤色の点滅によってシーン２の記録位置に記録データがあることをユーザに通知することができるとともに、モニター１３に入力されたデジタル画像信号の画像とともに表示された記録データの画像をユーザに確認させることができ、不要な記録データと必要な記録データとが混在して記録されている記録媒体８を使用して記録を行うときに、必要なデータの記録部分に新たに記録されるデータが上書きされることによって該必要なデータが消去されることを未然に防止することができる。
【００４３】
なお、本実施の形態では、記録媒体８に付加情報が記録されているか否かを検出することによって、記録媒体８上の記録データの有無を判定しているが、さらに、記録時に予め要、不要を示す付加情報を付加してデータの記録を行い、この不要を示す付加情報を検出したときにはこの付加情報が付加された記録データを記録されていないデータと見做して該データの記録部分を無記録部として処理する方法を用いることも可能である。
【００４４】
また、本実施の形態では、第２のアドレスが示す記録媒体８の記録位置に既に記録されているデータが有ることを検出すると、表示器１１が赤色に点滅するが、表示器１１に代えてその旨を示す警告音を出すブザーなどを用いることもできる。また、第２のアドレスが示す記録媒体８の記録位置に既に記録されているデータが有る旨を示すメッセージをモニター１３に表示するようにすることも可能である。
【００４５】
（実施の第２形態）
次に、本発明の実施の第２形態について図４および図５を参照しながら説明する。図４は本発明の画像信号記録装置の実施の第２形態の構成を示すブロック図、図５は図４の画像信号記録装置の記録媒体における記録パターンを示す図である。なお、図中、実施の第１形態と同一のブロックには、同一の符号を付し、その説明を省略する。
【００４６】
本実施の形態は、図４に示すように、実施の第１形態とほぼ同じ構成を有し、実施の第１形態に対し、記録媒体８に対するデータの記録位置を所定の記録位置へスキップさせるためのＳＫＩＰキー１４が設けられ、このＳＫＩＰキー１４の操作に応じてスキップ記録動作を行う点で異なる。
【００４７】
具体的には、入力端子１に入力されたデジタル画像信号に対する記録途中において検出回路１０によって第２のアドレスの記録位置に既に記録されているデータがあることを検出すると、実施の第１形態と同様に、その旨が表示器１１の赤色の点滅によってユーザに通知されるとともに、モニター１３には入力されたデジタル画像信号の画像とともに既に記録されているデータの画像が表示される。このモニター１３に表示された画像を見てユーザが既に記録されているデータを必要と判断すると、ＳＴＯＰキー４またはＳＫＩＰキー１４が操作される。ＳＴＯＰキー４が操作されると、実施の第１形態と同様に、記録動作が停止される。
【００４８】
これに対し、ＳＫＩＰキー１４が操作されると、制御回路５で、この既に記録されている必要なデータの記録部分を除いた記録領域のアドレスを示す第１のアドレスを発生するように第１のアドレス発生回路６は指示され、その指示に基づき発生された第１のアドレスの記録位置に入力されたデジタル画像信号の記録が行われる、すなわちスキップ記録動作が行われる。このスキップ記録動作により入力されたデジタル画像信号の記録位置が不連続になるから、付加情報に記録位置がスキップしたことを示す情報を含ませることによって、この記録位置の不連続による再生時の不連続を解消することすなわちの再生時の連続性を保つことができる。また、スキップ記録動作が設定されると、第２のアドレス発生回路７は既にデータが記録されているの記録部分を除いた記録領域における第１のアドレスが示す記録位置へのデータの記録から所定時間経過後にデータが記録される記録位置を示す第２のアドレスを発生する。
【００４９】
次に、本デジタル画像信号記録装置による記録動作について図４および図５を参照しながら説明する。本説明では、図５に示すように、アドレス（Ａｄｄｒｅｓｓ）０〜Ｎまでの記録容量を有する記録媒体８の使用例を示し、記録媒体８のアドレスＫ２からＮまでの記録部分には既に記録データとしてシーン３が記録されているものとし、アドレス０からＫ２までの記録部分は無記録部分とする。
【００５０】
アドレス０の記録位置からシーン１の記録が開始されると、図５（ａ）に示すように、シーン１の記録媒体８への記録が行われながら検出回路１０による検出処理が実行される。アドレス０からＫ２までの記録部分は無記録部分であるから、検出回路１０はこのシーン１の記録途中で第２のアドレスの記録位置に既に記録されているデータがないことを検出し、その検出結果として表示器１１による緑色の点灯が行われる。この緑色の点灯によって、シーン１が記録される部分には記録データがないことを確認しながらシーン１の記録が続行される。このシーン１の記録期間中、モニター１３には入力されたデジタル画像信号が示す画像のみが表示されることになる。
【００５１】
アドレスＫ１の記録位置でシーン１の記録を終了し、続いてアドレスＫ１の記録位置からのシーン２の記録を開始すると、同様に、シーン２の記録が行われながら検出回路１０による検出処理が実行される。記録媒体８のアドレスＫ１からＫ２までの記録部分への記録においては、図５（ａ），（ｂ）に示すように、第１のアドレスＡ１に対し第２のアドレス発生回路７から第２のアドレスＡ２が発生されるが、アドレスＫ１からＫ２までの記録部分は無記録部であるから、第１のアドレスＡ１に対する第２のアドレスＡ２がアドレスＫ２に到達するまでは、検出回路１０からは第２のアドレスＡ２で指示された記録位置に既に記録されているデータがないことを示す検出結果信号が出力され、この検出信号によって緑色に点灯された表示器１１を確認しながらシーン２の記録が行われることになる。第２のアドレスＡ２がアドレスＫ２に到達するまでのシーン２の記録期間中、モニター１３には入力されたデジタル画像信号が示す画像のみが表示されることになる。
【００５２】
シーン２の記録がさらに進み、第２のアドレスＡ２がアドレスＫ２を超えると、図５（ｃ）に示すように、アドレスＫ２からＮまでの記録部分には既にシーン３が記録されているから、検出回路１０は第２のアドレスＡ２で指示された記録位置に既に記録されているデータがあることを検出し、この検出結果により表示器１１による赤色の点滅が行われる。また、再生処理回路９により第２のアドレスＡ２で指示された記録位置に既に記録されているデータ（シーン３）がデジタル画像信号に復号され、この復号されたデジタル画像信号は合成回路１２で入力端子１に入力されたデジタル画像信号（シーン２）と合成される。この合成された画像信号はモニター１３に出力され、モニター１３にはシーン３とシーン２とが表示される（図３を参照）。
【００５３】
このように、ユーザは、表示器１１の赤色の点滅によってシーン２の記録位置に記録データ（シーン３）があることを通知されると、モニター１３に表示された画像から既に記録されているデータ（シーン３）の内容を確認して該シーン３が必要であるか不要であるかを判断する。シーン３が必要なデータであるならば、シーン３がシーン２に書き換えられる前にＳＴＯＰキー４またはＳＫＩＰキー１４を操作がされ、ＳＴＯＰキー４が操作されると、実施の第１形態と同様に記録動作が停止される。
【００５４】
これに対し、ＳＫＩＰキー１４が操作されると、制御回路５によりスキップ記録動作が設定される。第２のアドレス発生回路７が発生する第２のアドレスＡ２はシーン３の記録部分（アドレスＫ２からＮまでの領域）を除いた記録領域における第１のアドレスＡ１が示す記録位置へのデータの記録から所定時間経過後にデータが記録される記録位置を示すから、スキップ記録動作の設定に伴いこの第２のアドレスは、図５（ｃ）に示すように、アドレスＫ２近傍位置を示す第１のアドレスＡ１（≦Ｋ２）に対しアドレス０を指示する。検出回路１０は第２のアドレスＡ２で指示された記録位置に既に記録されているデータ（シーン１）があることを検出し、この検出結果により表示器１１による赤色の点滅が行われる。また、モニター１３にはシーン１とシーン２とが表示され、ユーザはこのシーン１に対する確認によって該シーン１が必要であるか不要であるかを判断して対応する操作を行う。例えば、ユーザが、シーン１が必要なデータでないと判断してＳＴＯＰキー４を操作せずにそのままシーン２の記録を続行させると、図５（ｃ）に示すように、スキップ動作が設定された時点では、第１のアドレスＡ１がアドレスＫ２に到達していないから、第１のアドレスＡ１はアドレスＫ２まで連続したアドレスとして発生されることになり、アドレスＫ２までの領域にはシーン２が記録されることになる。
【００５５】
第１のアドレスＡ１がアドレスＫ２に到達すると、図５（ｄ），（ｅ）に示すように、第１のアドレス発生回路６からはこの既に記録されているシーン３の記録部分（アドレスＫ２からＮまでの領域）を除いた記録領域のアドレス（アドレス０、Ｋ１間のアドレス）を示す第１のアドレスＡ１が発生され、シーン２の記録部分がシーン３をスキップしてシーン１の記録部分へ移行し、シーン１の記録部分にシーン２が上書きされる。このスキップ記録動作によりシーン２の記録位置が不連続になるから、記録位置がスキップしたことを示す情報を含む付加情報が記録される。このシーン２の再生時には前記付加情報によりこのシーン２を連続的に再生することができる。
【００５６】
このように、ＳＫＩＰキー１４の操作によりスキップ記録動作を設定することによって、必要なシーン３の記録部分と異なるシーン１への記録部分へシーン２への記録が中断されることなく行われる。
【００５７】
なお、本実施の形態では、ＳＫＩＰキー１４の操作によって、必要なデータが記録されている記録部分をスキップするように設定しているが、所定時間経過した後のアドレスに第１のアドレスを移行させることにより、記録部分のスキップを行う方法を用いることもできる。
【００５８】
【発明の効果】
以上に説明したように、請求項１記載の画像信号記録装置によれば、記録媒体に対する入力されたデジタル画像信号の記録位置を示す第１のアドレスを発生する第１のアドレス発生手段と、第１のアドレスに基づき記録媒体の記録位置を示す第２のアドレスを発生する第２のアドレス発生手段と、第１のアドレスが示す記録媒体の記録位置に入力されたデジタル画像信号を記録する記録手段と、第２のアドレスが示す記録媒体の記録位置に既に記録されているデジタル画像信号が有るか否かを検出する検出手段と、検出手段の検出結果を通知する通知手段とを有するから、不要な情報を示すデジタル画像信号と必要な情報を示すデジタル画像信号とが混在して記録されている記録媒体を使用して記録を行うときに、必要な情報を示すデジタル画像信号の記録部分に新たに記録されるデジタル画像信号が上書きされることによる、必要な情報を示すデジタル画像信号の消去を未然に防止することができる。
【００５９】
請求項２記載の画像信号記録装置によれば、第２のアドレスが、第１のアドレスが示す記録位置への入力されたデジタル画像信号の記録から所定時間経過後に入力されたデジタル画像信号が記録される記録位置を示すから、所定時間前に第２のアドレスが示す記録媒体の記録位置に既に記録されているデジタル画像信号が有るか否かを検出することができ、デジタル画像信号の記録部分に新たにデジタル画像信号を記録するか否かを判断する時間として所定時間を確保することができる。
【００６０】
請求項３記載の画像信号記録装置によれば、通知手段を、検出手段により第２のアドレスが示す記録媒体の記録位置に既に記録されているデジタル画像信号が有ることを検出すると、その旨を示す警告音を出す手段から構成することができる。
【００６１】
請求項４記載の画像信号記録装置によれば、通知手段を、検出手段により第２のアドレスが示す記録媒体の記録位置に既に記録されているデジタル画像信号が有ることを検出すると、その旨を表示する手段から構成することができる。
【００６２】
請求項５記載の画像信号記録装置によれば、記録媒体に対する入力されたデジタル画像信号の記録位置を示す第１のアドレスを発生する第１のアドレス発生手段と、第１のアドレスに基づき記録媒体の記録位置を示す第２のアドレスを発生する第２のアドレス発生手段と、第１のアドレスが示す記録媒体の記録位置に入力されたデジタル画像信号を記録する記録手段と、第２のアドレスが示す記録媒体の記録位置に既に記録されているデジタル画像信号が有るか否かを検出する検出手段と、検出手段により第２のアドレスが示す記録媒体の記録位置に既に記録されているデジタル画像信号が有ることを検出すると、第２のアドレスが示す記録媒体の記録位置に記録されているデジタル画像信号を再生する再生手段と、入力されたデジタル画像信号が示す画像を表示するとともに、再生手段による再生が行われると、該再生手段で再生されたデジタル画像信号が示す画像を入力されたデジタル画像信号が示す画像と合成して表示する表示手段とを有するから、不要な情報を示すデジタル画像信号と必要な情報を示すデジタル画像信号とが混在して記録されている記録媒体を使用して記録を行うときに、必要な情報を示すデジタル画像信号の記録部分に新たに記録されるデジタル画像信号が上書きされることによる、必要な情報を示すデジタル画像信号の消去を未然に防止することができる。
【００６３】
請求項６記載の画像信号記録装置によれば、第２のアドレスが、第１のアドレスが示す記録位置への入力されたデジタル画像信号の記録から所定時間経過後に入力されたデジタル画像信号が記録される記録位置を示すから、所定時間前に第２のアドレスが示す記録媒体の記録位置に既に記録されているデジタル画像信号が有るか否かを検出することができ、デジタル画像信号の記録部分に新たにデジタル画像信号を記録するか否かを判断する時間として所定時間を確保することができる。
【００６４】
請求項７記載の画像信号記録装置によれば、デジタル画像信号が既に記録されている記録位置と異なる他の記録位置へ入力されたデジタル画像信号を記録するスキップ記録動作を設定するための操作キーが設けられ、検出手段により第２のアドレスが示す記録媒体の記録位置に既に記録されているデジタル画像信号が有ることを検出したときに操作キーが操作されると、第１のアドレス発生手段が他の記録位置を示すアドレスを発生するように制御されるから、既に記録されてる必要なデジタル画像信号の記録部分と異なる記録部分へ入力されたデジタル画像信号の記録を中断することなく行うことができる。
【図面の簡単な説明】
【図１】本発明の画像信号記録装置の実施の第１形態の構成を示すブロック図である。
【図２】図１の画像信号記録装置の記録媒体における記録パターンを示す図である。
【図３】図１の画像信号記録装置のモニタ画面に表示される表示例を示す図である。
【図４】本発明の画像信号記録装置の実施の第２形態の構成を示すブロック図である。
【図５】図４の画像信号記録装置の記録媒体における記録パターンを示す図である。
【符号の説明】
２  記録処理回路
３  ＲＥＣキー
４  ＳＴＯＰキー
５  制御回路
６  第１のアドレス発生回路
７  第２のアドレス発生回路
８  記録媒体
９  再生処理回路
１０  検出回路
１１  表示器
１２  合成回路
１３  モニター
【図１】
0003862335.tif 000002
【図２】
0003862335.tif 000003
【図３】
0003862335.tif 000004
【図４】
0003862335.tif 000005
【図５】
0003862335.tif 000006